(57)【特許請求の範囲】
【請求項１】
サーバ装置と、ブラウザ機能を有し通信手段を介して前記サーバ装置に接続可能な端末装置と、を備える情報登録システムにおいて、
前記端末装置は、
所定のページを表示する表示手段と、
前記表示されたページを通じてユーザにより指定された電話番号を含む電話番号登録判別要求を前記サーバ装置に対して送信する判別要求送信手段と、
を備え、
前記サーバ装置は、
電話番号を登録する登録リストを記憶する登録リスト記憶手段と、
前記登録判別要求を受信する登録判別要求受信手段と、
前記登録判別要求に含まれる電話番号が前記登録リストに登録されているか否かを判別する登録判別手段と、
前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する承認要求情報送信手段と、
前記承認要求情報に応じて前記電話端末装置から前記承認を示す承認情報を受信した場合には、前記登録判別要求に含まれる電話番号を前記登録リストに登録する登録手段と、
を備えることを特徴とする情報登録システム。
【請求項２】
電話番号を登録する登録リストを記憶する登録リスト記憶手段と、
端末装置において表示された所定のページを通じてユーザにより指定された電話番号を含む電話番号登録判別要求を、当該端末装置から通信手段を介して受信する登録判別要求受信手段と、
前記登録判別要求に含まれる電話番号が前記登録リストに登録されているか否かを判別する登録判別手段と、
前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する承認要求情報送信手段と、
前記承認要求情報に応じて前記電話端末装置から前記承認を示す承認情報を受信した場合には、前記登録判別要求に含まれる電話番号を前記登録リストに登録する登録手段と、
を備えることを特徴とするサーバ装置。
【請求項３】
請求項２に記載のサーバ装置において、
前記登録判別要求に含まれる電話番号が前記登録リストに登録された場合には、前記ページに対応付けられた電話番号に対応する他の電話端末装置に対して通信手段を介して発呼を行い、当該発呼に対する応答があったとき、当該他の電話端末装置と、前記登録リストに登録された前記電話番号に対応する前記電話端末装置との間の通話路を形成して双方の電話端末装置を接続する通話接続制御手段を備えることを特徴とするサーバ装置。
【請求項４】
請求項２に記載のサーバ装置において、
前記電話番号が前記登録リストに登録されている場合には、前記ページに対応付けられた電話番号に対応する他の電話端末装置に対して通信手段を介して発呼を行い、当該発呼に対する応答があったとき、当該他の電話端末装置と、前記登録リストに登録されている前記電話番号に対応する前記電話端末装置との間の通話路を形成して双方の電話端末装置を接続する通話接続制御手段を備えることを特徴とするサーバ装置。
【請求項５】
請求項２乃至４の何れか一項に記載のサーバ装置において、
前記承認要求情報は、予め設定された音声情報であることを特徴とするサーバ装置。
【請求項６】
請求項２乃至５の何れか一項に記載のサーバ装置において、
前記登録リストには、電話番号とユーザ識別情報の組が登録されており、
前記登録判別要求には、前記電話番号と共に前記端末装置のユーザのユーザ識別情報が含まれており、
前記登録判別手段は、前記登録判別要求に含まれる電話番号とユーザ識別情報との組が、前記登録リストに登録されているか否かを判別し、
前記承認要求情報送信手段は、前記電話番号とユーザ識別情報との組が前記登録リストに登録されていない場合には、当該電話番号に対応する電話端末装置に対して通信手段を介して発呼を行い、当該発呼に対する応答があったとき、当該電話端末装置に対して前記承認を促す承認要求情報を送信し、
前記登録手段は、前記承認要求情報に応じて前記電話端末装置から前記承認を示す承認情報を受信した場合には、前記登録判別要求に含まれる電話番号とユーザ識別情報との組を前記登録リストに登録することを特徴とするサーバ装置。
【請求項７】
請求項２乃至５の何れか一項に記載のサーバ装置において、
前記登録リストには、電話番号と店舗識別情報の組が登録されており、
前記登録判別要求には、前記電話番号と共に前記ページに対応する店舗の店舗識別情報が含まれており、
前記登録判別手段は、前記登録判別要求に含まれる電話番号と店舗識別情報との組が、前記登録リストに登録されているか否を判別し、
前記承認要求情報送信手段は、前記電話番号と店舗識別情報との組が前記登録リストに登録されていない場合には、当該電話番号に対応する電話端末装置に対して通信手段を介して発呼を行い、当該発呼に対する応答があったとき、当該電話端末装置に対して前記承認を促す承認要求情報を送信し、
前記登録手段は、前記承認要求情報に応じて前記電話端末装置から前記承認を示す承認情報を受信した場合には、前記登録判別要求に含まれる電話番号と店舗識別情報との組を前記登録リストに登録することを特徴とするサーバ装置。
【請求項８】
コンピュータを、請求項２乃至７の何れか一項に記載のサーバ装置として機能させることを特徴とするサーバ処理プログラム。
【請求項９】
サーバ装置における情報登録方法であって、
電話番号を登録する登録リストを記憶する工程と、
端末装置において表示された所定のページを通じてユーザにより指定された電話番号を含む電話番号登録判別要求を、当該端末装置から通信手段を介して受信する工程と、
前記登録判別要求に含まれる電話番号が前記登録リストに登録されているか否かを判別する工程と、
前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する工程と、
前記承認要求情報に応じて前記電話端末装置から前記承認を示す承認情報を受信した場合には、前記登録判別要求に含まれる電話番号を前記登録リストに登録する工程と、
を備えることを特徴とする情報登録方法。
【発明の詳細な説明】
【技術分野】
【０００１】
本発明は、サーバ装置と、ブラウザ機能を有し通信手段を介してサーバ装置に接続可能な端末装置と、備え、電話番号を登録する情報登録システム等の技術分野に関する。
【背景技術】
【０００２】
インターネット上における所定のサーバにアクセスを行う際の認証において、特許文献１には、ユーザＩＤの代わりに電話番号を用いたコールバック認証システムが開示されている。かかるコールバック認証システムにおいては、認証装置が、利用者端末から認証要求とともに受け取った電話番号があらかじめ登録されているものであり、利用権限があることを確認し、問題なければ、その電話番号に対してコールバックを行い、本人認証を行うようになっている。
【特許文献１】特開２００６−３３７８０号公報
【発明の開示】
【発明が解決しようとする課題】
【０００３】
しかしながら、上述したコールバック認証システムでは、利用者端末の電話番号を事前に登録するための手続きが必要であり、ユーザ（利用者）にとっては非常に煩わしく当該事前登録を躊躇することが想定される。
【０００４】
本発明は、このような点に鑑みてなされたものであり、その課題の一例は、ユーザに躊躇させることなく、電話番号を効率良く登録し、当該登録された電話番号を利用して本人確認を行うことが可能な情報登録システム、サーバ装置、サーバ処理プログラム、及び情報登録方法を提供することを目的とする。
【課題を解決するための手段】
【０００５】
上記課題を解決するために、請求項１に記載の発明は、サーバ装置と、ブラウザ機能を有し通信手段を介して前記サーバ装置に接続可能な端末装置と、を備える情報登録システムにおいて、前記端末装置は、所定のページを表示する表示手段と、前記表示されたページを通じてユーザにより指定された電話番号を含む電話番号登録判別要求を前記サーバ装置に対して送信する判別要求送信手段と、を備え、前記サーバ装置は、電話番号を登録する登録リストを記憶する登録リスト記憶手段と、前記登録判別要求を受信する登録判別要求受信手段と、前記登録判別要求に含まれる電話番号が前記登録リストに登録されているか否かを判別する登録判別手段と、前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する承認要求情報送信手段と、前記承認要求情報に応じて前記電話端末装置から前記承認を示す承認情報を受信した場合には、前記登録判別要求に含まれる電話番号を前記登録リストに登録する登録手段と、を備えることを特徴とする。
【０００６】
この発明によれば、サーバ装置は、端末装置から受信した上記登録判別要求に含まれる電話番号が前記登録リストに登録されているか否かを判別し、登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信し、前記承認要求情報に応じて前記電話端末装置から前記承認を示す承認情報を受信した場合には、前記登録判別要求に含まれる電話番号を前記登録リストに登録するように構成したので、当該電話番号を事前に登録するための煩わしい手続きが不要となり、ユーザに躊躇させることなく、電話番号を効率良く登録し、当該登録された電話番号を利用して本人確認を行うことができる。
【０００７】
請求項２に記載の発明は、電話番号を登録する登録リストを記憶する登録リスト記憶手段と、端末装置において表示された所定のページを通じてユーザにより指定された電話番号を含む電話番号登録判別要求を、当該端末装置から通信手段を介して受信する登録判別要求受信手段と、前記登録判別要求に含まれる電話番号が前記登録リストに登録されているか否かを判別する登録判別手段と、前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する承認要求情報送信手段と、前記承認要求情報に応じて前記電話端末装置から前記承認を示す承認情報を受信した場合には、前記登録判別要求に含まれる電話番号を前記登録リストに登録する登録手段と、を備えることを特徴とする。
【０００８】
この発明によれば、サーバ装置は、端末装置から受信した上記登録判別要求に含まれる電話番号が前記登録リストに登録されているか否かを判別し、登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信し、前記承認要求情報に応じて前記電話端末装置から前記承認を示す承認情報を受信した場合には、前記登録判別要求に含まれる電話番号を前記登録リストに登録するように構成したので、当該電話番号を事前に登録するための煩わしい手続きが不要となり、ユーザに躊躇させることなく、電話番号を効率良く登録し、当該登録された電話番号を利用して本人確認を行うことができる。
【０００９】
請求項３に記載の発明は、請求項２に記載のサーバ装置において、前記登録判別要求に含まれる電話番号が前記登録リストに登録された場合には、前記ページに対応付けられた電話番号に対応する他の電話端末装置に対して通信手段を介して発呼を行い、当該発呼に対する応答があったとき、当該他の電話端末装置と、前記登録リストに登録された前記電話番号に対応する前記電話端末装置との間の通話路を形成して双方の電話端末装置を接続する通話接続制御手段を備えることを特徴とする。
【００１０】
この発明によれば、ページ上に他人の電話機の電話番号が入力され電話がかかるといった悪戯的な行為を防止することができる。
【００１１】
請求項４に記載の発明は、請求項２に記載のサーバ装置において、前記電話番号が前記登録リストに登録されている場合には、前記ページに対応付けられた電話番号に対応する他の電話端末装置に対して通信手段を介して発呼を行い、当該発呼に対する応答があったとき、当該他の電話端末装置と、前記登録リストに登録されている前記電話番号に対応する前記電話端末装置との間の通話路を形成して双方の電話端末装置を接続する通話接続制御手段を備えることを特徴とする。
【００１２】
請求項５に記載の発明は、請求項２乃至４の何れか一項に記載のサーバ装置において、前記承認要求情報は、予め設定された音声情報であることを特徴とする。
【００１３】
請求項６に記載の発明は、請求項２乃至５の何れか一項に記載のサーバ装置において、前記登録リストには、電話番号とユーザ識別情報の組が登録されており、前記登録判別要求には、前記電話番号と共に前記端末装置のユーザのユーザ識別情報が含まれており、前記登録判別手段は、前記登録判別要求に含まれる電話番号とユーザ識別情報との組が、前記登録リストに登録されているか否かを判別し、前記承認要求情報送信手段は、前記電話番号とユーザ識別情報との組が前記登録リストに登録されていない場合には、当該電話番号に対応する電話端末装置に対して通信手段を介して発呼を行い、当該発呼に対する応答があったとき、当該電話端末装置に対して承認を促す承認要求情報を送信し、前記登録手段は、前記承認要求情報に応じて前記電話端末装置から承認を示す承認情報を受信した場合には、前記登録判別要求に含まれる電話番号とユーザ識別情報との組を前記登録リストに登録することを特徴とする。
【００１４】
請求項７に記載の発明は、請求項２乃至５の何れか一項に記載のサーバ装置において、前記登録リストには、電話番号と店舗識別情報の組が登録されており、前記登録判別要求には、前記電話番号と共に前記ページに対応する店舗の店舗識別情報が含まれており、前記登録判別手段は、前記登録判別要求に含まれる電話番号と店舗識別情報との組が、前記登録リストに登録されているか否を判別し、前記承認要求情報送信手段は、前記電話番号と店舗識別情報との組が前記登録リストに登録されていない場合には、当該電話番号に対応する電話端末装置に対して通信手段を介して発呼を行い、当該発呼に対する応答があったとき、当該電話端末装置に対して承認を促す承認要求情報を送信し、前記登録手段は、前記承認要求情報に応じて前記電話端末装置から承認を示す承認情報を受信した場合には、前記登録判別要求に含まれる電話番号と店舗識別情報との組を前記登録リストに登録することを特徴とする。
【００１５】
請求項８に記載のサーバ処理プログラムの発明は、コンピュータを、請求項２乃至７の何れか一項に記載のサーバ装置として機能させることを特徴とする。
【００１６】
請求項９に記載の発明は、サーバ装置における情報登録方法であって、電話番号を登録する登録リストを記憶する工程と、端末装置において表示された所定のページを通じてユーザにより指定された電話番号を含む電話番号登録判別要求を、当該端末装置から通信手段を介して受信する工程と、前記登録判別要求に含まれる電話番号が前記登録リストに登録されているか否かを判別する工程と、前記電話番号が前記登録リストに登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信する工程と、前記承認要求情報に応じて前記電話端末装置から前記承認を示す承認情報を受信した場合には、前記登録判別要求に含まれる電話番号を前記登録リストに登録する工程と、を備えることを特徴とする。
【発明の効果】
【００１７】
本発明によれば、サーバ装置は、端末装置から受信した上記登録判別要求に含まれる電話番号が前記登録リストに登録されているか否かを判別し、登録されていない場合には、当該電話番号に対応する電話端末装置に対して通信手段を介して発呼を行い、当該発呼に対する応答があったとき、当該電話端末装置に対して、前記登録リストに電話番号を登録する承認を促す承認要求情報を送信し、前記承認要求情報に応じて前記電話端末装置から前記承認を示す承認情報を受信した場合には、前記登録判別要求に含まれる電話番号を前記登録リストに登録するように構成したので、当該電話番号を事前に登録するための煩わしい手続きが不要となり、ユーザに躊躇させることなく、電話番号を効率良く登録し、当該登録された電話番号を利用して本人確認を行うことができる。
【発明を実施するための最良の形態】
【００１８】
以下、図面を参照して本発明の最良の実施形態について詳細に説明する。なお、以下に説明する実施の形態は、電話接続システムに対して本発明を適用した場合の実施形態である。
［１．電話接続システムの構成及び機能］
先ず、本実施形態に係る電話接続システムＳの構成及び機能について、図１等を用いて説明する。
【００１９】
図１は、本実施形態に係る電話接続システムＳの概要構成例を示す図である。
【００２０】
図１に示すように、電話接続システムＳは、ユーザ端末１（端末装置の一例）、Ｗｅｂサーバ２、登録サーバ３（サーバ装置の一例）、ユーザ電話機４（電話端末装置の一例）、及び店舗電話機５（他の電話端末装置の一例）等を備えて構成されている。
【００２１】
ユーザ端末１は、ブラウザ機能を有し、例えばインターネットサービスプロバイダのサーバを通じてネットワークＮＷ（通信回線及びルーター等の中継機器等により構成される通信手段）に接続可能になっており、当該ネットワークＮＷに接続する際、固有のＩＰアドレス（例えばグローバルＩＰアドレス）が割り当てられるようになっている。
【００２２】
Ｗｅｂサーバ２及び登録サーバ３は、インターネットやイントラネット等のネットワークＮＷに接続され、固有のＩＰ（Internet Protocol）アドレス（グローバルＩＰアドレス）が割り当てられている。
【００２３】
また、Ｗｅｂサーバ２は、ショッピングサイト等のサイトを構成しており、ネットワークＮＷを介して接続されたユーザ端末１からの要求に応じてＷｅｂページを提供するようになっている。
【００２４】
また、登録サーバ３は、ゲートウェイＧＷを介して電話回線網ＴＮ（公衆電話回線（ＰＳＴＮ）や移動体電話回線（基地局等を含む）等より構成される通信手段）にも接続されている。
【００２５】
また、ユーザ電話機４及び店舗電話機５には、夫々固有の電話番号が割り当てられており、電話回線網ＴＮに接続されるようになっている。なお、ユーザ電話機４及び店舗電話機５は、固定電話機と携帯電話機の何れであっても構わない。
【００２６】
また、ユーザ電話機４は、ユーザ端末１のユーザにより使用される。一方、店舗電話機５は、例えば店舗の店員や管理者等により使用される。
［１−１．ユーザ端末１の構成及び機能等］
次に、ユーザ端末１の構成及び機能の詳細について、図２等を用いて説明する。
【００２７】
図２は、ユーザ端末１の概要構成例を示すブロック図である。
【００２８】
図２に示すように、ユーザ端末１は、操作部１１、表示部１２、通信部１３、ドライブ部１４、記憶部１５、入出力インタフェース部１６、及びシステム制御部１７等を備えており、システム制御部１７と入出力インタフェース部１６とは、システムバス１８を介して接続されている。ユーザ端末１としては、汎用のパーソナルコンピュータを適用できる。
【００２９】
操作部１１は、例えば、キーボード及びマウス等からなり、ユーザからの操作指示を受け付け、その指示内容を指示信号としてシステム制御部１７に出力する。
【００３０】
表示部１２は、例えば、ＣＲＴ（Cathode Ray Tube）ディスプレイ、液晶ディスプレイ等からなり、文字や画像等の情報を表示する。
【００３１】
通信部１３は、ネットワークＮＷに接続してＷｅｂサーバ２又は登録サーバ３等との通信状態を制御する。
【００３２】
ドライブ部１４は、例えば、フレキシブルディスク、ＣＤ（Compact Disc）、ＤＶＤ（Digital Versatile Disc）等のディスクＤＫ（記録媒体）からデータ等を読み出す一方、当該ディスクＤＫに対してデータ等を記録する。
【００３３】
記憶部１５は、例えば、ハードディスクドライブ等からなり、オペレーティングシステム（Ｏ／Ｓ），各種プログラム及びデータ等を記憶する。
【００３４】
入出力インタフェース部１６は、操作部１１乃至記憶部１５とシステム制御部１７との間のインタフェース処理を行う。
【００３５】
次に、システム制御部１７は、ＣＰＵ（Central Processing Unit）１７ａ，ＲＯＭ（Read Only Memory）１７ｂ，及びＲＡＭ（Random Access Memory）１７ｃ等を備えユーザ端末１全体を統括制御するようになっている。そして、システム制御部１７は、ＣＰＵ１７ａが、ＲＯＭ１７ｂや記憶部１５に記憶された各種プログラムを読み出し実行することにより、本発明における表示手段及び判別要求送信手段等として機能するようになっている。
【００３６】
具体的には、システム制御部１７は、ブラウザを起動した後、当該ブラウザ上でユーザから指定された所定のサイト（例えばショッピングサイト）のＵＲＬ（Uniform Resource Locator）に基づきＷｅｂサーバ２に接続することにより提供（送信）されたＷｅｂページを表示部１２に表示させる。当該Ｗｅｂページは、例えばＨＴＭＬ（HyperText Markup Language）データ及びそこに埋め込まれる画像データ等により構成される。
【００３７】
図３は、提供されたＷｅｂページの表示例を示す図である。図３に示すＷｅｂページは、○○店舗へ電話を繋げるためのページであり、当該店舗の店舗電話機５の電話番号（店舗を特定できる情報）等が含まれている。また、当該ページ上には、ユーザ端末１のユーザにより使用されるユーザ電話機４の電話番号を指定するための電話番号入力欄１２１、及び「Ｃａｌｌ」ボタン１２２が設けられている。この「Ｃａｌｌ」ボタン１２２には、登録サーバ３に接続するためのＵＲＬがセットされて（埋め込まれて）いる。
【００３８】
このような表示状態において、当該ユーザが操作部１１を操作して電話番号入力欄１２１にユーザ電話機４の電話番号を入力（例えば、キーボードにより入力）し、「Ｃａｌｌ」ボタン１２２を指定（例えば、マウスによりクリック）すると、「Ｃａｌｌ」ボタン１２２にセットされた登録サーバ３のＵＲＬに基づき、ユーザ端末１が登録サーバ３に接続され、上記ページを通じてユーザにより指定された電話番号を含む電話番号登録判別要求が登録サーバ３に対して送信されることになる。
【００３９】
ここで、電話番号登録判別要求は、例えば、ＨＴＴＰ（Hypertext Transfer Protocol）に基づくリクエストであり、当該リクエストには、送信元及び宛先のアドレス情報、ユーザ電話機４の電話番号、当該ページに対応する店舗の店舗電話機５の電話番号（或いは、当該店舗の店舗識別情報としての店舗ＩＤ）、及び登録サーバ３に対する処理要求内容（ここでは、電話番号登録判別要求）等が含まれている。なお、ユーザ電話機４の電話番号は、ユーザ端末１において予め格納（例えばクッキーに格納）されていた電話番号の一覧表示の中から、ユーザにより指定されても良い。
【００４０】
こうして登録サーバ３に送信された電話番号登録判別要求により、登録サーバ３において電話番号登録判別処理等がなされ、ユーザ電話機４と店舗電話機５間における電話が繋げられることになる。
［１−２．登録サーバ３の構成及び機能等］
次に、登録サーバ３の構成及び機能の詳細について、図４等を用いて説明する。
【００４１】
図４は、登録サーバ３の概要構成例を示すブロック図である。
【００４２】
図４に示すように、登録サーバ３は、操作部３１、表示部３２、通信部３３、ドライブ部３４、登録リスト記憶手段の一例としての記憶部３５、入出力インタフェース部３６、及びシステム制御部３７等を備えており、システム制御部３７と入出力インタフェース部３６とは、システムバス３８を介して接続されている。
【００４３】
なお、操作部３１、表示部３２、通信部３３、ドライブ部３４、記憶部３５、及び入出力インタフェース部３６の基本的な構成は、上述したユーザ端末１における操作部１１、表示部１２、通信部１３、ドライブ部１４、記憶部１５、及び入出力インタフェース部１６の基本的な構成と同様である。
【００４４】
記憶部３５は、オペレーティングシステム（Ｏ／Ｓ），各種プログラム（本発明のサーバ処理プログラムを含む）及びデータ等を記憶する。なお、本発明のサーバ処理プログラム等は、例えば、他のサーバ等からネットワークＮＷを介してダウンロードされるようにしても良いし、ＣＤ−ＲＯＭ等のディスクＤＫに記録されてドライブ部３４を介して読み込まれるようにしても良い。
【００４５】
また、記憶部３５には、電話番号を登録するホワイトリスト（登録リストの一例）を記憶するためのホワイトリストデータベース３５１が構築されている。
【００４６】
そして、システム制御部３７は、ＣＰＵ３７ａが、ＲＯＭ３７ｂや記憶部３５に記憶された各種プログラムを読み出し実行することにより、本発明における登録判別要求受信手段、承認要求情報送信手段、登録手段、及び通話接続制御手段等として機能するようになっている。
【００４７】
具体的には、システム制御部３７は、上記ユーザ端末１からの電話番号登録判別要求をネットワークＮＷを介して受信すると、当該電話番号登録判別要求に含まれる電話番号が上記ホワイトリストに登録されているか否かを判別する。そして、システム制御部３７は、当該電話番号がホワイトリストに登録されていない場合には、当該電話番号に対応するユーザ電話機４に対して電話回線網ＴＮを介して発呼を行い、当該発呼に対する応答があった（つまり、ユーザ電話機４のユーザが着信応答操作を行った）とき、当該ユーザ電話機４に対して承認を促す承認要求情報を送信するようになっている。
【００４８】
ここで、承認要求情報を例えば予め設定された音声情報とし、公知のＩＶＲ（Interactive Voice Response）機能により、録音してある音声を自動的に再生し、電話回線網ＴＮを通じてユーザ電話機４に流すように構成される。かかる音声情報の内容としては、例えば、「○○システムを利用された方は“１”を、利用されていない方は“２”を押してください」といったような承認を促す音声メッセージが考えられる。また、ＩＶＲ機能は、登録サーバ３に組み込まれるように構成しても良いし、或いは、登録サーバ３にＩＶＲ機能を有する機器が接続されるように構成しても良い。
【００４９】
そして、システム制御部３７は、上記承認要求情報に応じてユーザ電話機４から承認を示す承認情報を受信（ユーザがユーザ電話機４における承認を示す操作ボタンを“１”を押すことによる）した場合には、上記電話番号登録判別要求に含まれる電話番号をホワイトリストに登録する。当該電話番号がホワイトリストに登録された場合には、続いて、システム制御部３７は、上記電話番号登録判別要求に含まれる、上記ページ（つまり、ユーザ端末１に表示され電話番号入力欄１２１に電話番号が入力されたページ）に対応付けられた電話番号に対応する店舗電話機５に対して電話回線網ＴＮを介して発呼を行い、当該発呼に対する応答があったとき、当該店舗電話機５と、上記ホワイトリストに登録された電話番号に対応するユーザ電話機４との間の通話路を形成して双方の電話機を接続する（繋ぐ）ようになっている。こうして、上記ユーザは、ユーザ電話機４を通じて店舗電話機５の相手（例えば、店員）と通話することができ、例えばサイトで販売される商品の購入申し込みを行うことができる。
【００５０】
なお、上記ページに対応する店舗の店舗電話機５の電話番号の代わりに当該店舗の店舗ＩＤを上記電話番号登録判別要求に含ませる場合、登録サーバ３において店舗ＩＤと電話番号との対応関係を規定するテーブルを記憶させておき、電話番号登録判別要求が受信されたとき、システム制御部３７が、電話番号登録判別要求に含まれる店舗ＩＤに対応付けられた電話番号を当該テーブルから取得して、上記店舗電話機５に対して発呼を行うように構成しても良い。
【００５１】
また、上述のように電話番号がホワイトリストに一旦登録されると、その後は、システム制御部３７は、ユーザ電話機４に対して承認を促す承認要求情報を送信することなく、上記ページに対応付けられた電話番号に対応する店舗電話機５に対して電話回線網ＴＮを介して発呼を行い、当該発呼に対する応答があったとき、当該店舗電話機５と、上記ホワイトリストに登録されている電話番号に対応するユーザ電話機４との間の通話路を形成して双方の電話機を接続することになる。
［２．電話接続システムＳの動作］
次に、本実施形態に係る電話接続システムＳの動作について、図５を用いて説明する。
【００５２】
図５は、電話接続システムＳにおける情報のやり取り等を示すシーケンス図である。
【００５３】
先ず、ユーザ端末１において、図３に示すようなページが表示された状態で、ユーザが自身のユーザ電話機４の電話番号を電話番号入力欄１２１にて指定し、「Ｃａｌｌ」ボタン１２２を指定すると、上述した電話番号登録判別要求（例えば、ＨＴＴＰに基づくリクエスト）がユーザ端末１から登録サーバ３に対して送信される（ステップＳ１）。
【００５４】
次に、登録サーバ３により上記電話番号登録判別要求が受信されると、当該電話番号登録判別要求に含まれる電話番号が上記ホワイトリストに登録されているか否かが判別される（ステップＳ２）。そして、当該電話番号がホワイトリストに登録されていない場合には（ステップＳ２：ＮＯ）、登録サーバ３から、当該電話番号に対応するユーザ電話機４に対して発呼が行われ（発呼信号の送信）（ステップＳ３）、当該発呼に対する応答があれば（応答信号の受信）（ステップＳ４）、登録サーバ３からユーザ電話機４に承認要求情報が送信、例えば、承認を促す音声メッセージが流される（ステップＳ５）。
【００５５】
当該音声メッセージに応じてユーザ電話機４のユーザが、例えば承認を示す操作ボタンを押下すると、当該承認を示す承認情報がユーザ電話機４から登録サーバ３に送信される（ステップＳ６）。
【００５６】
次に、登録サーバ３により上記承認情報が受信されると、上記電話番号登録判別要求に含まれるユーザ電話機４の電話番号がホワイトリストに登録される（ステップＳ７）。続いて、登録サーバ３から、上記電話番号登録判別要求に含まれる、上記ページに対応付けられた電話番号に対応する店舗電話機５に対して発呼が行われ（ステップＳ８）、当該発呼に対する応答があれば（ステップＳ９）、当該店舗電話機５と、上記ホワイトリストに登録された電話番号に対応するユーザ電話機４との間の通話路が形成され双方の電話機が接続される（繋がれる）（ステップＳ１０）。
【００５７】
次いで、登録サーバ３により店舗電話機５を有する店舗に対して課金処理（例えば、当該店舗の店舗ＩＤに対応付けられて所定額が加算される）。
【００５８】
一方、上記ステップＳ２において、上記電話番号がホワイトリストに登録されている場合には（ステップＳ２：ＹＥＳ）、上記ステップＳ３〜Ｓ７の処理が行われることなく、ステップＳ８に進み、ステップＳ８〜Ｓ１０の処理が行われる。
【００５９】
以上説明したように、上記実施形態によれば、登録サーバ３が、ユーザ端末１から受信した電話番号登録判別要求に含まれる電話番号がホワイトリストに登録されているか否かを判別し、登録されていない場合には、当該電話番号に対応するユーザ電話機４に対して発呼を行い、当該発呼に対する応答があったとき、当該ユーザ電話機４に対して承認を促す承認要求情報を送信し、当該承認要求情報に応じてユーザ電話機４から承認情報を受信した場合には、上記電話番号登録判別要求に含まれる電話番号をホワイトリストに登録するように構成したので、当該電話番号を事前に登録するための煩わしい手続きが不要となり、ユーザに躊躇させることなく、電話番号を効率良く登録し、当該登録された電話番号を利用して本人確認を行うことができる。
【００６０】
そして、こうして電話番号が登録されてはじめて、上記ページに対応付けられた電話番号に対応する店舗電話機５に対して発呼が行われ、当該発呼に対する応答があったとき、当該店舗電話機５と、上記ホワイトリストに登録された電話番号に対応するユーザ電話機４との間の通話路を形成して双方の電話機が接続するように構成したので、ページ上に他人の電話機の電話番号が入力され店舗に電話がかかるといった悪戯的な行為を防止することができる。
【００６１】
なお、上記実施形態においては、登録サーバ３により、当該電話番号登録判別要求に含まれる電話番号が上記ホワイトリストに登録されているか否かが判別されるように構成したが、別の例として、当該電話番号登録判別要求に電話番号とユーザ識別情報としてのユーザＩＤとの組が含まれるようにし、当該電話番号とユーザＩＤとの組が、ホワイトリストに登録されているか否かが判別されるように構成しても良い。この構成の場合、当該電話番号とユーザＩＤとの組がホワイトリストに登録されていない場合には、図５に示す上記ステップＳ３〜Ｓ１０の処理が行われる（ステップＳ７では、電話番号及びユーザＩＤの組がホワイトリストに登録）ことになり、当該電話番号とユーザＩＤとの組がホワイトリストに登録されている場合には、上記ステップＳ３〜Ｓ７の処理が行われることなく、ステップＳ８〜Ｓ１０の処理が行われることになる。また、この構成の場合、図３に示すようなページが表示される前又は表示された際に行われるログイン処理において入力（例えばクッキーに格納）されたユーザＩＤを電話番号登録判別要求に含ませることになる。
【００６２】
この構成によれば、例えば、ユーザ電話機４の電話番号が変わることなく、そのユーザが変わってしまった場合であっても、上述した効果に加え、本人確認を確実に行うことができる。なお、ユーザＩＤの代わりに当該ユーザの電子メールアドレスであっても良く、この場合、当該電子メールアドレスは、例えば上記ページ上に予め設けられた電子メールアドレス入力欄に入力される。
【００６３】
さらに別の例として、当該電話番号登録判別要求に電話番号と店舗ＩＤとの組が含まれるようにし、当該電話番号と店舗ＩＤとの組（或いは、電話番号とユーザＩＤと店舗ＩＤとの組）が、ホワイトリストに登録されているか否かが判別されるように構成しても良い。この構成の場合、当該電話番号と店舗ＩＤとの組（或いは、電話番号とユーザＩＤと店舗ＩＤとの組）がホワイトリストに登録されていない場合には、図５に示す上記ステップＳ３〜Ｓ１０の処理が行われる（ステップＳ７では、電話番号及び店舗ＩＤの組がホワイトリストに登録）ことになり、当該電話番号と店舗ＩＤとの組（或いは、電話番号とユーザＩＤと店舗ＩＤとの組）がホワイトリストに登録されている場合には、上記ステップＳ３〜Ｓ７の処理が行われることなく、ステップＳ８〜Ｓ１０の処理が行われることになる。また、この構成の場合、上記ページに付加された（例えば、ページのＵＲＬに含まれている、或いはページを構成するＨＴＭＬデータ内に含まれる）店舗ＩＤを電話番号登録判別要求に含ませることになる。
【００６４】
また、上記実施形態においては、承認要求情報を音声情報としたが、文字情報であっても構わない。この場合、ユーザ電話機４の表示画面上には、承認を促すメッセージが表示され、これに対してユーザがユーザ端末１における例えば承認を示すが操作ボタンを押下すると、当該承認を示す承認情報がユーザ電話機４から登録サーバ３に送信されることになる。
【００６５】
なお、上記実施形態において、ユーザ端末１においてユーザがＷｅｂページの電話番号入力欄１２１にユーザ電話機４の電話番号を入力し、「Ｃａｌｌ」ボタン１２２を指定すると、ユーザ端末１が登録サーバ３に接続され、上記電話番号を含む電話番号登録判別要求が登録サーバ３に対して送信される例を示したが、別の例として、例えばユーザ端末１と登録サーバ３との間に管理サーバを設け、ユーザが電話番号入力欄１２１にユーザ電話機４の電話番号を入力し、「Ｃａｌｌ」ボタン１２２を指定すると、ユーザ端末１が当該管理サーバに接続され、上記電話番号を含む電話番号登録判別要求が管理サーバに対して送信されるように構成しても良い。この場合、管理サーバは受信した電話番号登録判別要求を登録サーバ３に転送し、登録サーバ３は管理サーバからの電話番号登録判別要求を受信すると、上述した電話番号登録判別処理等の処理を行うことになる。なお、この場合、管理サーバと登録サーバ３が、本発明の「サーバ装置」を構成することになる。
【図面の簡単な説明】
【００６６】
【図１】本実施形態に係る電話接続システムＳの概要構成例を示す図である。
【図２】ユーザ端末１の概要構成例を示すブロック図である。
【図３】提供されたＷｅｂページの表示例を示す図である。
【図４】登録サーバ３の概要構成例を示すブロック図である。
【図５】電話接続システムＳにおける情報のやり取り等を示すシーケンス図である。
【符号の説明】
【００６７】
１  ユーザ端末
２  Ｗｅｂサーバ
３  登録サーバ
４  ユーザ電話機
５  店舗電話機
１１，３１  操作部
１２，３２  表示部
１３，３３  通信部
１４，３４  ドライブ部
１５，３５  記憶部
１６，３６  入出力インタフェース部
１７，３７  システム制御部
１８，３８  システムバス
Ｓ  電話接続システム
【図２】
0005297012.tif 000002
【図３】
0005297012.tif 000003
【図４】
0005297012.tif 000004
【図５】
0005297012.tif 000005
【図１】
0005297012.tif 000006